(57)【特許請求の範囲】
【請求項１】
一般面よりも突出した凸部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面とそのまわりの一般面が同様な光沢面で形成されているとき、当該表示部がそのまわりの一般面よりも突出する高さが０．５mm以上で、その表示部の上下サイズが３．５mm以上に設定されていることを特徴とする樹脂成形品。
【請求項２】
一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面とそのまわりの一般面が同様な光沢面で形成されているとき、当該表示部がそのまわりの一般面よりも窪んだ深さが０．５mm以上で、その表示部の上下サイズが３．５mm以上に設定されていることを特徴とする樹脂成形品。
【請求項３】
一般面よりも突出した凸部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面が荒らし加工による艶消し面で形成され、該表示部のまわりの一般面が光沢面で形成されているとき、当該表示部がそのまわりの一般面よりも突出する高さが０mm乃至０．５mm未満の範囲で、かつその表示部の上下サイズが５mm以上に設定され、表示部がそのまわりの一般面よりも突出する高さが０．５mm以上であるときは、その表示部の上下サイズが４mm以上に設定されていることを特徴とする樹脂成形品。
【請求項４】
一般面よりも突出した凸部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面が光沢面で形成され、該表示部のまわりの一般面が荒らし加工による艶消し面で形成されているとき、表示部がそのまわりの一般面よりも突出する高さが０．３mm以上で、その表示部の上下サイズが４mm以上に設定されていることを特徴とする樹脂成形品。
【請求項５】
一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面が光沢面で形成され、該表示部のまわりの一般面が荒らし加工による艶消し面で形成されているとき、当該表示部がそのまわりの一般面よりも窪んだ深さが０．３mm乃至０．５mm未満の範囲で、かつその表示部の上下サイズが４mm以上に設定され、表示部がそのまわりの一般面よりも窪んだ深さが０．５mm以上であるときは、その表示部の上下サイズが３．５mm以上に設定されていることを特徴とする樹脂成形品。
【請求項６】
一般面よりも突出した凸部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面とそのまわりの一般面が同様な光沢面で形成されているとき、当該表示部がそのまわりの一般面よりも突出する高さが０．３mm以上で、その表示部の上下サイズが４mm以上に設定されていることを特徴とする樹脂成形品。
【請求項７】
一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面とそのまわりの一般面が同様な光沢面で形成されているとき、当該表示部がそのまわりの一般面よりも窪んだ深さが０．３mm乃至０．５mm未満の範囲で、かつその表示部の上下サイズが５mm以上に設定され、表示部がそのまわりの一般面よりも窪んだ深さが０．５mm以上であるときは、その表示部の上下サイズが４mm以上に設定されていることを特徴とする樹脂成形品。
【請求項８】
一般面よりも突出した凸部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面が荒らし加工による艶消し面で形成され、該表示部のまわりの一般面が光沢面で形成されているとき、当該表示部がそのまわりの一般面よりも突出する高さが０．３mm以上で、その表示部の上下サイズが４mm以上に設定されていることを特徴とする樹脂成形品。
【請求項９】
一般面よりも突出した凸部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面が光沢面で形成され、該表示部のまわりの一般面が荒らし加工による艶消し面で形成されているとき、表示部がそのまわりの一般面よりも突出する高さが０．５mm以上で、その表示部の上下サイズが４mm以上に設定されていることを特徴とする樹脂成形品。
【請求項１０】
一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面が光沢面で形成され、該表示部のまわりの一般面が荒らし加工による艶消し面で形成されているとき、当該表示部がそのまわりの一般面よりも窪んだ深さが０．３mm乃至０．５mm未満の範囲で、かつその表示部の上下サイズが４mm以上に設定され、表示部がそのまわりの一般面よりも窪んだ深さが０．５mm以上であるときは、その表示部の上下サイズが３．５mm以上に設定されていることを特徴とする樹脂成形品。
【請求項１１】
一般面よりも窪んだ凹部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面とそのまわりの一般面が同様な光沢面で形成されているとき、当該表示部がそのまわりの一般面よりも窪んだ深さが０．５mm以上で、その表示部の上下サイズが４mm以上に設定されていることを特徴とする樹脂成形品。
【請求項１２】
一般面よりも突出した凸部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面が荒らし加工による艶消し面で形成され、該表示部のまわりの一般面が光沢面で形成されているとき、当該表示部がそのまわりの一般面よりも突出する高さが０mm以上で、かつその表示部の上下サイズが４mm以上に設定されていることを特徴とする樹脂成形品。
【請求項１３】
一般面よりも突出した凸部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面が光沢面で形成され、該表示部のまわりの一般面が荒らし加工による艶消し面で形成されているとき、表示部がそのまわりの一般面よりも突出する高さが０．５mm以上で、その表示部の上下サイズが５mm以上に設定されていることを特徴とする樹脂成形品。
【請求項１４】
一般面よりも窪んだ凹部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面が光沢面で形成され、該表示部のまわりの一般面が荒らし加工による艶消し面で形成されているとき、当該表示部がそのまわりの一般面よりも窪んだ深さが０．３mm以上で、かつその表示部の上下サイズが４mm以上に設定されていることを特徴とする樹脂成形品。
【請求項１５】
表示部の上下サイズの下限値が１mmだけ大きく設定されている請求項１乃至１４のいずれかに記載の樹脂成形品。
【発明の詳細な説明】
【０００１】
【発明の属する技術分野】
本発明は、一般面よりも突出した凸部又は窪んだ凹部によって構成された表示部が直に形成されている樹脂成形品に関するものである。
【０００２】
【従来の技術】
複写機、ファクシミリ、プリンタ、ワードプロセッサ、パソコンなどの事務機器、テレビ、ビデオなどの民生機器、或いはその他の各種機械装置には、多数の樹脂成形品が使用されている。このような樹脂成形品には、例えば、製品の操作説明、或いは注意事項などの所定の情報が記入されたシート材が貼着されている。複写機を例にとると、その外装カバーや前ドアなどの樹脂成形品に、簡単な取り扱い説明文や、部品交換順序を示す番号などの情報が記されたシート材が貼り付けられ、ユーザやサービスマンが容易にその複写機を取り扱えるようにしている。
【０００３】
ところで、特に近年、環境の保護や一層の省資源化を図る目的でリサイクル性に優れた製品の出現が強く要望されている。このような観点から、ユーザが或る製品を使用し尽したとき、これを廃棄せず、再生できるものは可能な限り再生処理し、これを再利用する必要性が高まりつつある。
【０００４】
そこで、各種機器に使用される樹脂成形品についても、例えばこれを熱可塑性樹脂により構成し、ユーザがこれを使用し尽したとき、その樹脂成形品を溶融し、これを再度成形することにより何らかの成形品を製造し、これを再利用することが試みられている。
【０００５】
その際、問題となるのは、樹脂成形品に貼着されている前述のシート材の存在である。すなわち、このシート材と樹脂成形品の材質は互いに相違しているのが普通であり、かかるシート材が貼られたままの樹脂成形品を再生処理すると、完成した再生成形品の物性値が大きく低下することがある。樹脂成形品をリサイクル材として使用する際、その材料の物性値がバージン材に比べて大きく変化せず、再生前の樹脂成形品とほぼ同等の特性を有する再生品を成形できるようにする必要があるが、再生前の樹脂成形品に、これと材質の異なるシート材が貼着されていると、これらを一緒に再生処理した場合、所定の特性を備えた再生品を得ることができなくなるのである。
【０００６】
そこで、従来は、回収された樹脂成形品からシート材を剥がし、或いは削り取ることによりシート材を取り除いた後の樹脂成形品だけを再生処理していた。ところが、このような剥離や削り取り作業は大変面倒で手間のかかる作業であり、これが、樹脂成形品の再利用を妨げる原因の一つとなっていた。
【０００７】
このような観点から、樹脂成形品にシート材を貼着することをやめ、その成形品の表面に、その一般面よりも突出した凸部又は窪んだ凹部を直に成形して表示部を構成し、かかる表示部によって、文字、数字、図形又は記号などから成る所定の情報を表示することも行われている。かかる樹脂成形品によれば、これを再生処理するとき、シート材を剥離したり、これを削り取るような煩雑な作業を行わずとも、高い特性を備えた再生品を得ることが可能である。
【０００８】
ところが、樹脂成形品の表面に直に凸部又は凹部より成る表示部を成形した場合、その表示部と、そのまわりの一般面とが同一の色を有しているので、当該表示部は大変見ずらいものとなり、ユーザがその表示部を一瞥しただけでその内容を理解することが困難となり、表示部の本来の意味が失われてしまうおそれがある。
【０００９】
【発明が解決しようとする課題】
本発明は、上記認識に基きなされたものであって、その目的とするところは、凸部又は凹部より成る表示部の視認性を高め、これを見る者に対し、その表示部の情報内容を直ちにしかも正確に伝達できる冒頭に記載した形式の樹脂成形品を提供することにある。
【００１０】
【課題を解決するための手段】
本発明は、上記目的を達成するため、一般面よりも突出した凸部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面とそのまわりの一般面が同様な光沢面で形成されているとき、当該表示部がそのまわりの一般面よりも突出する高さが０．５mm以上で、その表示部の上下サイズが３．５mm以上に設定されていることを特徴とする樹脂成形品を提案する。
【００１１】
同じく、本発明は、上記目的を達成するため、一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面とそのまわりの一般面が同様な光沢面で形成されているとき、当該表示部がそのまわりの一般面よりも窪んだ深さが０．５mm以上で、その表示部の上下サイズが３．５mm以上に設定されていることを特徴とする樹脂成形品を提案する。
【００１２】
同様に、本発明は、上記目的を達成するため、一般面よりも突出した凸部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面が荒らし加工による艶消し面で形成され、該表示部のまわりの一般面が光沢面で形成されているとき、当該表示部がそのまわりの一般面よりも突出する高さが０mm乃至０．５mm未満の範囲で、かつその表示部の上下サイズが５mm以上に設定され、表示部がそのまわりの一般面よりも突出する高さが０．５mm以上であるときは、その表示部の上下サイズが４mm以上に設定されていることを特徴とする樹脂成形品を提案する。
【００１３】
同じく、本発明は、上記目的を達成するため、一般面よりも突出した凸部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面が光沢面で形成され、該表示部のまわりの一般面が荒らし加工による艶消し面で形成されているとき、表示部がそのまわりの一般面よりも突出する高さが０．３mm以上で、その表示部の上下サイズが４mm以上に設定されていることを特徴とする樹脂成形品を提案する。
【００１４】
同じく、本発明は、上記目的を達成するため、一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面が光沢面で形成され、該表示部のまわりの一般面が荒らし加工による艶消し面で形成されているとき、当該表示部がそのまわりの一般面よりも窪んだ深さが０．３mm乃至０．５mm未満の範囲で、かつその表示部の上下サイズが４mm以上に設定され、表示部がそのまわりの一般面よりも窪んだ深さが０．５mm以上であるときは、その表示部の上下サイズが３．５mm以上に設定されていることを特徴とする樹脂成形品を提案する。
【００１５】
同じく、本発明は、上記目的を達成するため、一般面よりも突出した凸部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面とそのまわりの一般面が同様な光沢面で形成されているとき、当該表示部がそのまわりの一般面よりも突出する高さが０．３mm以上で、その表示部の上下サイズが４mm以上に設定されていることを特徴とする樹脂成形品を提案する。
【００１６】
同じく、本発明は、上記目的を達成するため、一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面とそのまわりの一般面が同様な光沢面で形成されているとき、当該表示部がそのまわりの一般面よりも窪んだ深さが０．３mm乃至０．５mm未満の範囲で、かつその表示部の上下サイズが５mm以上に設定され、表示部がそのまわりの一般面よりも窪んだ深さが０．５mm以上であるときは、その表示部の上下サイズが４mm以上に設定されていることを特徴とする樹脂成形品を提案する。
【００１７】
同じく、本発明は、上記目的を達成するため、一般面よりも突出した凸部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面が荒らし加工による艶消し面で形成され、該表示部のまわりの一般面が光沢面で形成されているとき、当該表示部がそのまわりの一般面よりも突出する高さが０．３mm以上で、その表示部の上下サイズが４mm以上に設定されていることを特徴とする樹脂成形品を提案する。
【００１８】
同じく、本発明は、上記目的を達成するため、一般面よりも突出した凸部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面が光沢面で形成され、該表示部のまわりの一般面が荒らし加工による艶消し面で形成されているとき、表示部がそのまわりの一般面よりも突出する高さが０．５mm以上で、その表示部の上下サイズが４mm以上に設定されていることを特徴とする樹脂成形品を提案する。
【００１９】
同じく、本発明は、上記目的を達成するため、一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面が光沢面で形成され、該表示部のまわりの一般面が荒らし加工による艶消し面で形成されているとき、当該表示部がそのまわりの一般面よりも窪んだ深さが０．３mm乃至０．５mm未満の範囲で、かつその表示部の上下サイズが４mm以上に設定され、表示部がそのまわりの一般面よりも窪んだ深さが０．５mm以上であるときは、その表示部の上下サイズが３．５mm以上に設定されていることを特徴とする樹脂成形品を提案する。
【００２０】
同じく、本発明は、上記目的を達成するため、一般面よりも窪んだ凹部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面とそのまわりの一般面が同様な光沢面で形成されているとき、当該表示部がそのまわりの一般面よりも窪んだ深さが０．５mm以上で、その表示部の上下サイズが４mm以上に設定されていることを特徴とする樹脂成形品を提案する。
【００２１】
同じく、本発明は、上記目的を達成するため、一般面よりも突出した凸部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面が荒らし加工による艶消し面で形成され、該表示部のまわりの一般面が光沢面で形成されているとき、当該表示部がそのまわりの一般面よりも突出する高さが０mm以上で、かつその表示部の上下サイズが４mm以上に設定されていることを特徴とする樹脂成形品を提案する。
【００２２】
同じく、本発明は、上記目的を達成すめため、一般面よりも突出した凸部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面が光沢面で形成され、該表示部のまわりの一般面が荒らし加工による艶消し面で形成されているとき、表示部がそのまわりの一般面よりも突出する高さが０．５mm以上で、その表示部の上下サイズが５mm以上に設定されていることを特徴とする樹脂成形品を提案する。
【００２３】
同じく、本発明は、上記目的を達成するため、一般面よりも窪んだ凹部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面が光沢面で形成され、該表示部のまわりの一般面が荒らし加工による艶消し面で形成されているとき、当該表示部がそのまわりの一般面よりも窪んだ深さが０．３mm以上で、かつその表示部の上下サイズが４mm以上に設定されていることを特徴とする樹脂成形品を提案する。
【００２４】
また、上記各構成に規定された表示部の上下サイズの下限値を１mmだけ大きく設定することもできる。
【００２５】
【発明の実施の形態】
以下、本発明の実施形態例を図面に従って詳細に説明する。
【００２６】
図１は、事務機器の一例である複写機の外観を示す斜視図である。この複写機は外装カバー１、前ドア２、操作パネル３、給紙カセット前カバー４、原稿押えカバー５などの樹脂成形品のほかに、その内部の図示していない多数の樹脂成形品を有している。かかる成形品は、例えば、ＰＳ（ポリスチレン）、ＰＰＥ（ポリフェニレンエーテル）、ＡＢＳ（アクリル・ブタジエン・スチレン）、ＰＰＯ（ポリフェニルオキサイド）、ＰＣ（ポリカーボネイト）などの熱可塑性合成樹脂より成る。
【００２７】
このような樹脂成形品には、例えば複写機の簡単な取り扱いや操作の説明、部品の交換順序、注意書き、複写機の製造メーカ名、複写機の機種などの適宜な表示が、文字、数字、図形又は記号などの各種形態で形成されている。図１に示した例では、前ドア２の前面又はこれを開いたときに外部に露出する背面に、符号６，７を付して示すように、複写機のメーカを表示する「Ｒ」や、その他の情報を示す「ＡＢ」なる表示がなされ、また給紙カセット前カバー４の前面には、符号８を付して示したように、その段数を示す数字「１」「２」「３」なる表示がなされている。
【００２８】
図２は、上述の如き各種形態の表示部の代表例として、前ドア２に形成された「ＡＢ」なる文字より成る表示部７を正面から見たときの様子を示している。従来は、このような表示がシート材に印刷され、これが前カバー２に貼着されていたが、このようなシート材を用いると、前ドア２の再生処理時に、シート材を剥離するなどの面倒な作業を必要とした。
【００２９】
これに対し、本例の表示部７は、他の表示部６，８と共に、図３に示す如く、樹脂成形品の一例である前ドア２の一般面９よりも突出した凸部によって構成されている。或いは、図４に示すように、表示部７が、樹脂成形品の一般面９よりも窪んだ凹部によって構成されており、樹脂成形品にシート材は貼着されていない。樹脂成形品を図示していない成形型で成形する際、凸部又は凹部より成る表示部７を同時に成形し、当該樹脂部品に表示部を直に形成するのである。ここで樹脂成形品の一般面とは、その成形品の本来の形態をなす成形品の表面であって、表示部が形成された部分を除く部分を意味する。
【００３０】
樹脂成形品に上述のような表示部７を形成する場合、その表示部７の表面と、そのまわりの一般面９を、図２に示すように同様な光沢面で形成することもあるが、文字などを構成する表示部７の表面と、そのまわりの一般面９のいずれか一方に、荒らし加工（例えばシボ加工）を施し、その表面を艶消し面とし、表示部７の視認性を高めることもある。
【００３１】
図５は表示部７の表面を荒らし加工による艶消し面で形成し、その表示部７のまわりの一般面９を光沢面で形成したときの一例を示し、図６は表示部７の表面を光沢面で形成し、その表示部７のまわりの一般面９を荒らし加工による艶消し面で形成した例を示してあり、これらの図において、斜線を付した部分が艶消し面であることを示している。
【００３２】
図１に示した複写機をユーザが使用し尽したときは、例えば、これをその各部品に分解し、樹脂成形品については、これをペレットに破砕し、これを加熱溶融して新たな成形品を成形することができる。その際、一般面９よりも突出した凸部又は一般面９よりも窪んだ凹部によって構成された表示部７が直に成形された樹脂成形品は、シート材が貼着されていないため、その樹脂成形品を再生処理するとき、表面からシート材を剥がす必要はなく、しかも再生品の特性、例えばその機械的特性が大きく低下することを阻止できる。
【００３３】
ところが、先にも説明したように、表示部７と、そのまわりの一般面９は、実質的に同一色であるため、かかる表示部の形態によっては、その視認性が低下し、当該表示部を一瞥しただけではその内容を正しく理解できなくなるおそれがある。
【００３４】
本発明者は、このような観点から、図２乃至図６に示した表示部と同様な「ＡＢ」なる表示部を直に形成した樹脂成形品のサンプルを各種用意し、そのそれぞれを不特定の人間に目視させ、その表示部の視認性を確認するテストを行った。このテストに用いた樹脂成形品も、図１に示した各成形品と同様な材料で構成され、その表示部の形も「ＡＢ」であるので、このテストに関する説明にも図２乃至図６を参照することにし、当該テストに用いた樹脂成形品に対し、図２乃至図６に符号１０を付して示すことにする。
【００３５】
サンプルとした樹脂成形品１０の色、すなわちその表示部７とそのまわりの一般面９の色に関しては、
（１）マンセル値（記号）で２Ｙ７．５／０．５
（２）同じくマンセル値（記号）で９ＹＲ４／１
（３）黒色
の３種類を用意した。上記値のうち「２Ｙ」及び「９ＹＲ」は色相を、また「７．５」及び「４」は明度を、さらに「０．５」及び「１」は彩度をそれぞれ示している。
【００３６】
このような色を有する樹脂成形品１０であって、表示部７とそのまわりの一般面９が共に同様な光沢面で形成されたもの（図２）と、表示部７が荒らし加工による艶消し面で形成され、そのまわりの一般面９が光沢面で形成されているもの（図５）と、逆に表示部７が光沢面で、そのまわりの一般面９が荒らし加工による艶消し面で形成されたもの（図６）とをそれぞれ用意した。
【００３７】
また図３に示すように、凸部より成る表示部７がそのまわりの一般面９よりも突出する高さをｈとし、図４に示すように、凹部より成る表示部７がそのまわりの一般面９よりも窪んだ深さをｄとしたとき、ｈの値が０．５mm、０．３mm及び０mmのサンプルと、ｄの値が０．３mm、０．５mmのサンプルをそれぞれ用意した。
【００３８】
図７乃至図３６はそのテストの結果を示しているが、かかるテストは、複写機などの機器が通常設置される環境の明るさである５５０乃至７００ＬＸｚ（ルクス）と、これよりも暗い３００ＬＸｚ（ルクス）の環境下で行った。前者のテスト環境を明視環境、後者を暗視環境と称することにし、図７乃至図３６においては、明視環境下でのテストを「明」、暗視環境下でのテストを「暗」として示してある。
【００３９】
またこれらの図における「表示部の上下サイズ」とは、図２に示すように、表示部７を正面から目視したとき、その表示部７の上端から下端までの寸法（mm）Ｈを示している。また図７乃至図３６に示す表の実線で示した枠が実際にテストを行った範囲であり、破線枠はテストの対象外であることを示している。また各表示部７を目視した者がその表示部７の意味内容を即座に理解し得た範囲には○印を付し、表示部７を何とか判読できた範囲には△印を付して示してある。○印の付された表示部は問題なく使用できることを意味し、無印は実際に使用することが不適当であることを示している。
【００４０】
図７乃至図１６は、樹脂成形品１０の色が前述の（１）、すなわち２Ｙ７．５／０．５のときのテスト結果であり、これらの図の表中に示した○印から、問題なく使用可能な表示部７の形態の条件は以下に示す範囲となる。
【００４１】
〔Ｉ〕表示部７とそのまわりの一般面９が同様な光沢面（これを「全面光沢」とする）であるとき
（Ａ）明視環境では、
（ａ）表示部を凸部で形成時：  突出高さｈが０．５mm以上で表示部の上下サイズＨが３．５mm以上
（ｂ）表示部を凹部で形成時：  窪み深さｄが０．５mm以上で表示部の上下サイズＨが３．５mm以上
（Ｂ）暗視環境では、
（ａ）表示部を凸部で形成時：  突出高さｈが０．５mm以上で表示部の上下サイズＨが４mm以上
（ｂ）表示部を凹部で形成時：  窪み深さｄが０．５mm以上で表示部の上下サイズＨが４mm以上
【００４２】
〔II〕表示部７の表面を荒らし加工（シボ加工等）による艶消し面とし、表示部７のまわりの一般面９を光沢面（これを「表示部シボ」とする）としたとき
（Ａ）明視環境では、
（ａ）表示部を凸部で形成時：  突出高さｈが０mmと０．３mmで表示部の上下サイズＨが５mm以上、突出高さｈが０．５mm以上で表示部の上下サイズが４mm以上
（Ｂ）暗視環境では、
（ａ）表示部を凸部で形成時：  突出高さｈが０mmと０．３mmで表示部の上下サイズＨが５mm以上、突出高さｈが０．５mm以上で表示部の上下サイズＨが４mm以上
【００４３】
〔III〕表示部７の表面を光沢面とし、表示部７のまわりの一般面９を荒らし加工による艶消し面（これを「表示部まわりシボ」とする）としたとき
（Ａ）明視環境では、
（ａ）表示部を凸部で形成時：  突出高さｈが０．３mm以上で表示部の上下サイズＨが４mm以上
（ｂ）表示部を凹部で形成時：  窪み深さｄが０．３mmで表示部の上下サイズＨが４mm以上、窪み深さｄが０．５mm以上で表示部の上下サイズＨが３．５mm以上
（Ｂ）暗視環境では、
（ａ）表示部を凸部で形成時：  突出高さｈが０．３mm以上で表示部の上下サイズＨが４mm以上
（ｂ）表示部を凹部で形成時：  窪み深さｄが０．３mm以上で表示部の上下サイズＨが４mm以上
【００４４】
次に図１７乃至図２６は、樹脂成形品１０の色が９ＹＲ４／１のときのテスト結果であり、これらの図の表中に示した○印から、問題なく使用可能な表示部７の形態条件は以下に示す範囲となる。
【００４５】
〔IV〕全面光沢であるとき
（Ａ）明視環境では、
（ａ）表示部を凸部で形成時：  突出高さｈが０．３mm以上で表示部の上下サイズＨが４mm以上
（ｂ）表示部を凹部で形成時：  窪み深さｄが０．３mmで表示部の上下サイズＨが５mm以上、窪み深さｄが０．５mm以上で表示部の上下サイズＨが４mm以上
（Ｂ）暗視環境では、
（ａ）表示部を凸部で形成時：  突出高さｈが０．３mm以上で表示部の上下サイズＨが４mm以上
（ｂ）表示部を凹部で形成時：  窪み深さｄが０．３mmで表示部の上下サイズＨが５mm以上、窪み深さｄが０．５mmで表示部の上下サイズＨが４mm以上
【００４６】
〔Ｖ〕表示部シボであるとき
（Ａ）明視環境では、突出高さｈが０．３mm以上で表示部の上下サイズＨが４mm以上
（Ｂ）暗視環境では、突出高さｈが０．３mm以上で表示部の上下サイズＨが４mm以上
【００４７】
〔VI〕表示部まわりシボであるとき
（Ａ）明視環境では、
（ａ）表示部を凸部で形成時：  突出高さｈが０．５mm以上で表示部の上下サイズＨが４mm以上
（ｂ）表示部を凹部で形成時：  窪み深さｄが０．３mmで表示部の上下サイズＨが４mm以上、窪み深さｄが０．５mm以上で表示部の上下サイズＨが３．５mm以上
（Ｂ）暗視環境では、
（ａ）表示部を凸部で形成時：  突出高さｈが０．５mm以上で表示部の上下サイズＨが４mm以上
（ｂ）表示部を凹部で形成時：  窪み深さｄが０．３mm以上で表示部の上下サイズＨが４mm以上
【００４８】
図２７乃至図３６は、樹脂成形品１０の色が黒色のときのテスト結果であり、これらの図の○印から、問題なく使用可能な表示部７の形態の条件は以下に示す通りとなる。
【００４９】
〔VII〕全面光沢であるとき
（Ａ）明視環境では、窪み深さｄが０．５mm以上で表示部の上下サイズＨが４mm以上
（Ｂ）暗視環境では、窪み深さｄが０．５mm以上で表示部の上下サイズＨが５mm以上
【００５０】
〔VIII〕表示部シボであるとき
（Ａ）明視環境では、突出高さｈが０mm以上で表示部の上下サイズＨが４mm以上
（Ｂ）暗視環境では、突出高さｈが０mm以上で表示部の上下サイズＨが５mm以上
【００５１】
〔IX〕表示部まわりシボであるとき
（Ａ）明視環境では、
（ａ）表示部を凸部で形成時：  突出高さｈが０．５mm以上で表示部の上下サイズＨが５mm以上
（ｂ）表示部を凹部で形成時：  窪み深さｄが０．３mm以上で表示部の上下サイズＨが４mm以上
（Ｂ）暗視環境では、窪み深さｄが０．３mm以上で表示部の上下サイズＨが５mm以上
【００５２】
以上のテスト結果より、全般的に、暗視環境下では、明視環境下での表示部の上下サイズＨの下限値を１mmだけ大きく設定すれば、その表示部の視認性を高め、その内容を正しく把握できることを理解することができる。また、表示部シボの場合には、突出高さｈが０mmであるときも、高い視認性を示すことがあることも理解することができる。このように本発明の凸部又は凹部よりなる表示部の突出高さｈ又は窪み深さｄは、０mmをも含むものである。
【００５３】
以上、樹脂成形品の色が「２Ｙ７．５／０．５」と「９ＹＲ４／１」と「黒色」であるときのテスト結果を示したが、他の色相、明度及び彩度を有する樹脂成形品のサンプルを用いてテストを繰返したところ、前述のテストで用いた樹脂成形品の色に対して、マンセル色環にて、ほぼ同等とみれる色の色相、明度及び彩度は次の表１に示す範囲であることが明らかとなった。
【００５４】
【表１】
0003815825.tif 000002
【００５５】
ここで、先に一例として示したテスト結果と上記表１とから、表示部の形態と樹脂成形品の色との関係を次のように一般的に示すことができる。先ず、樹脂成形品１０が通常置かれる明視環境（５５０乃至７００ルクス）下において、次の条件を満たせば、その視認性を高め、その表示部の内容を即座に理解することができる。
【００５６】
（イ）一般面よりも突出した凸部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面とそのまわりの一般面が同様な光沢面で形成されているとき、当該表示部がそのまわりの一般面よりも突出する高さが０．５mm以上で、その表示部の上下サイズが３．５mm以上に設定されていること。これは、先に示したテスト結果の〔Ｉ〕（Ａ）（ａ）と表１の（１）から導かれる結論であり、請求項１に対応する構成である。
【００５７】
（ロ）一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面とそのまわりの一般面が同様な光沢面で形成されているとき、当該表示部がそのまわりの一般面よりも窪んだ深さが０．５mm以上で、その表示部の上下サイズが３．５mm以上に設定されていること。これは、先に示したテスト結果の〔Ｉ〕（Ａ）（ｂ）と表１の（１）から導かれる結論であり、請求項２に対応する構成である。
【００５８】
（ハ）一般面よりも突出した凸部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面が荒らし加工による艶消し面で形成され、該表示部のまわりの一般面が光沢面で形成されているとき、当該表示部がそのまわりの一般面よりも突出する高さが０mm乃至０．５mm未満の範囲で、かつその表示部の上下サイズが５mm以上に設定され、表示部がそのまわりの一般面よりも突出する高さが０．５mm以上であるときは、その表示部の上下サイズが４mm以上に設定されていること。これは、先に示したテスト結果の〔II〕（Ａ）（ａ）と表１の（１）から導かれる結論であり、請求項３に対応する構成である。
【００５９】
（ニ）一般面よりも突出した凸部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面が光沢面で形成され、該表示部のまわりの一般面が荒らし加工による艶消し面で形成されているとき、表示部がそのまわりの一般面よりも突出する高さが０．３mm以上で、その表示部の上下サイズが４mm以上に設定されていること。これは、先に示したテスト結果の〔III〕（Ａ）（ａ）と表１の（１）から導かれる結論であり、請求項４に対応する構成である。
【００６０】
（ホ）一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１０ＹＲ乃至５ＧＹ、明度が９．２５乃至７．０、彩度が１．０乃至０．５の範囲にあり、その表示部の表面が光沢面で形成され、該表示部のまわりの一般面が荒らし加工による艶消し面で形成されているとき、当該表示部がそのまわりの一般面よりも窪んだ深さが０．３mm乃至０．５mm未満の範囲で、かつその表示部の上下サイズが４mm以上に設定され、表示部がそのまわりの一般面よりも窪んだ深さが０．５mm以上であるときは、その表示部の上下サイズが３．５mm以上に設定されていること。これは、先に示したテスト結果の〔III〕（Ａ）（ｂ）と表１の（１）から導かれる結論であり、請求項５に対応する構成である。
【００６１】
（ヘ）一般面よりも突出した凸部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面とそのまわりの一般面が同様な光沢面で形成されているとき、当該表示部がそのまわりの一般面よりも突出する高さが０．３mm以上で、その表示部の上下サイズが４mm以上に設定されていること。これは、先に示したテスト結果の〔IV〕（Ａ）（ａ）と表１の（２）から導かれる結論であり、請求項６に対応する構成である。
【００６２】
（ト）一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面とそのまわりの一般面が同様な光沢面で形成されているとき、当該表示部がそのまわりの一般面よりも窪んだ深さが０．３mm乃至０．５mm未満の範囲で、かつその表示部の上下サイズが５mm以上に設定され、表示部がそのまわりの一般面よりも窪んだ深さが０．５mm以上であるときは、その表示部の上下サイズが４mm以上に設定されていること。これは、先に示したテスト結果の〔IV〕（Ａ）（ｂ）と表１の（２）から導かれる結論であり、請求項７に対応する構成である。
【００６３】
（チ）一般面よりも突出した凸部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面が荒らし加工による艶消し面で形成され、該表示部のまわりの一般面が光沢面で形成されているとき、当該表示部がそのまわりの一般面よりも突出する高さが０．３mm以上で、その表示部の上下サイズが４mm以上に設定されていること。これは、先に示したテスト結果の〔Ｖ〕（Ａ）と表１の（２）から導かれる結論であり、請求項８に対応する構成である。
【００６４】
（リ）一般面よりも突出した凸部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面が光沢面で形成され、該表示部のまわりの一般面が荒らし加工による艶消し面で形成されているとき、表示部がそのまわりの一般面よりも突出する高さが０．５mm以上で、その表示部の上下サイズが４mm以上に設定されていること。これは、先に示したテスト結果の〔VI〕（Ａ）（ａ）と表１の（２）から導かれる結論であり、請求項９に対応する構成である。
【００６５】
（ヌ）一般面よりも窪んだ凹部によって構成された表示部が直に成形され、該一般面と表示部の表面が同一色を有している樹脂成形品において、前記表示部の表面とそのまわりの一般面の色に関し、マンセル値で、色相が１．０Ｒ乃至１０ＧＹ、明度が６．０乃至２．０、彩度が１．５乃至０．５の範囲にあり、その表示部の表面が光沢面で形成され、該表示部のまわりの一般面が荒らし加工による艶消し面で形成されているとき、当該表示部がそのまわりの一般面よりも窪んだ深さが０．３mm乃至０．５mm未満の範囲で、かつその表示部の上下サイズが４mm以上に設定され、表示部がそのまわりの一般面よりも窪んだ深さが０．５mm以上であるときは、その表示部の上下サイズが３．５mm以上に設定されていること。これは、先に示したテスト結果の〔VI〕（Ａ）（ｂ）と表１の（２）から導かれる結論であり、請求項１０に対応する構成である。
【００６６】
（ル）一般面よりも窪んだ凹部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面とそのまわりの一般面が同様な光沢面で形成されているとき、当該表示部がそのまわりの一般面よりも窪んだ深さが０．５mm以上で、その表示部の上下サイズが４mm以上に設定されていること。これは、先に示したテスト結果の〔VII〕（Ａ）と表１の（３）から導かれる結論であり、請求項１１に対応する構成である。
【００６７】
（オ）一般面よりも突出した凸部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面が荒らし加工による艶消し面で形成され、該表示部のまわりの一般面が光沢面で形成されているとき、当該表示部がそのまわりの一般面よりも突出する高さが０mm以上で、かつその表示部の上下サイズが４mm以上に設定されていること。これは、先に示したテスト結果の〔VIII〕（Ａ）と表１の（３）から導かれる結論であり、請求項１２に対応する構成である。
【００６８】
（ワ）一般面よりも突出した凸部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面が光沢面で形成され、該表示部のまわりの一般面が荒らし加工による艶消し面で形成されているとき、表示部がそのまわりの一般面よりも突出する高さが０．５mm以上で、その表示部の上下サイズが５mm以上に設定されていること。これは、先に示したテスト結果の〔IX〕（Ａ）（ａ）と表１の（３）から導かれる結論であり、請求項１３に対応する構成である。
【００６９】
（カ）一般面よりも窪んだ凹部によって構成された表示部が直に成形され、該一般面と表示部の表面が同一色を有している樹脂成形品において、前記表示部の表面とそのまわりの一般面の色に関し、マンセル値で、Ｎ１．０乃至Ｎ２．０の範囲にあり、その表示部の表面が光沢面で形成され、該表示部のまわりの一般面が荒らし加工による艶消し面で形成されているとき、当該表示部がそのまわりの一般面よりも窪んだ深さが０．３mm以上で、かつその表示部の上下サイズが４mm以上に設定されていること。これは、先に示したテスト結果の〔IX〕（Ａ）（ｂ）と表１の（３）から導かれる結論であり、請求項１４に対応する構成である。
【００７０】
（ヨ）上述した（イ）乃至（カ）の各構成において、表示部の上下サイズの下限値が１mmだけ大きく設定されていると、通常の明るさよりも暗い環境（３００ルクス）下においても、その表示部の視認性を高め、これを問題なく使用することができる。
【００７１】
樹脂成形品を以上の如く構成すれば、その成形品自体に、視認性に優れた凸部又は凹部より成る表示部を形成できる。
【００７２】
上述した各構成の内容を、例えば一覧表としてマニュアル化しておけば、複写機などの各種機器を設計する際、このマニュアルに基いて、視認性の高い表示部を容易に設計することができる。かかるマニュアルのないときは、各種機器の樹脂成形品を製作する際、トライアンドエラーで、凸部又は凹部より成る表示部の形態を定めなければならない。すなわち、実際に成形型を作り、これによって樹脂成形品を成形してから、これに形成された表示部の視認性を確認しなければならないのであるが、このようにすると、仮に、その成形品の表示部の視認性が劣悪であったときは、再度成形型を作り直さなければならず、その製作コストが徒らに嵩むことになりかねない。前述した本発明に係る構成を予め把握していれば、これに従って所望する形態の視認性の高い表示部を持った樹脂成形品を一度で製作することが可能となる。
【００７３】
本発明は、事務機器や民生機器に限らず、自動車、船舶、玩具などのあらゆる技術分野における樹脂成形品に適用できるものである。
【００７４】
【発明の効果】
請求項１乃至１４に記載の樹脂成形品によれば、シート材を剥がすことなく、これをそのまま再生処理することにより、バージン材に比べて大きな特性変化のない再生品を得ることができ、しかもその樹脂成形品に形成された表示部の視認性を高め、これを目視する者に対し、表示部の内容を正確に伝えることができる。
【００７５】
請求項１５に記載の樹脂成形品によれば、これが多少暗い環境下に置かれたときも、その表示部の視認性を高めることができる。
【図面の簡単な説明】
【図１】樹脂成形品を有する機器の一例としての複写機を示す斜視図である。
【図２】図１に示した複写機の前ドアに形成された表示部、ないしはテスト時に使用した樹脂成形品に形成された表示部を正面から見た拡大正面図である。
【図３】図２のIII−III線に沿う断面図であって、表示部が凸部によって構成された例を示す図である。
【図４】表示部が凹部によって構成された例を示す、図３と同様な断面図である。
【図５】表示部の表面が艶消し面として形成された例を示す正面図である。
【図６】表示部のまわりの一般面が艶消し面として形成された例を示す正面図である。
【図７】テスト結果を示す図である。
【図８】テスト結果を示す図である。
【図９】テスト結果を示す図である。
【図１０】テスト結果を示す図である。
【図１１】テスト結果を示す図である。
【図１２】テスト結果を示す図である。
【図１３】テスト結果を示す図である。
【図１４】テスト結果を示す図である。
【図１５】テスト結果を示す図である。
【図１６】テスト結果を示す図である。
【図１７】テスト結果を示す図である。
【図１８】テスト結果を示す図である。
【図１９】テスト結果を示す図である。
【図２０】テスト結果を示す図である。
【図２１】テスト結果を示す図である。
【図２２】テスト結果を示す図である。
【図２３】テスト結果を示す図である。
【図２４】テスト結果を示す図である。
【図２５】テスト結果を示す図である。
【図２６】テスト結果を示す図である。
【図２７】テスト結果を示す図である。
【図２８】テスト結果を示す図である。
【図２９】テスト結果を示す図である。
【図３０】テスト結果を示す図である。
【図３１】テスト結果を示す図である。
【図３２】テスト結果を示す図である。
【図３３】テスト結果を示す図である。
【図３４】テスト結果を示す図である。
【図３５】テスト結果を示す図である。
【図３６】テスト結果を示す図である。
【符号の説明】
６  表示部
７  表示部
８  表示部
９  一般面
１０  樹脂成形品
ｄ  深さ
ｈ  高さ
Ｈ  上下サイズ
【図１】
0003815825.tif 000003
【図２】
0003815825.tif 000004
【図３】
0003815825.tif 000005
【図４】
0003815825.tif 000006
【図５】
0003815825.tif 000007
【図６】
0003815825.tif 000008
【図７】
0003815825.tif 000009
【図８】
0003815825.tif 000010
【図９】
0003815825.tif 000011
【図１０】
0003815825.tif 000012
【図１１】
0003815825.tif 000013
【図１２】
0003815825.tif 000014
【図１３】
0003815825.tif 000015
【図１４】
0003815825.tif 000016
【図１５】
0003815825.tif 000017
【図１６】
0003815825.tif 000018
【図１７】
0003815825.tif 000019
【図１８】
0003815825.tif 000020
【図１９】
0003815825.tif 000021
【図２０】
0003815825.tif 000022
【図２１】
0003815825.tif 000023
【図２２】
0003815825.tif 000024
【図２３】
0003815825.tif 000025
【図２４】
0003815825.tif 000026
【図２５】
0003815825.tif 000027
【図２６】
0003815825.tif 000028
【図２７】
0003815825.tif 000029
【図２８】
0003815825.tif 000030
【図２９】
0003815825.tif 000031
【図３０】
0003815825.tif 000032
【図３１】
0003815825.tif 000033
【図３２】
0003815825.tif 000034
【図３３】
0003815825.tif 000035
【図３４】
0003815825.tif 000036
【図３５】
0003815825.tif 000037
【図３６】
0003815825.tif 000038